(57)【要約】【課題】複数のクライアント間の製品、部品情報を共有することで相互のデータ補完を実現する。【解決手段】同じサーバクライアントに加入しているクライアントの情報をサーバに登録し、これをサーバが認証することで共有できる。【選択図】  図１
2004206226.tif 000002
【特許請求の範囲】
【請求項１】
情報の仲介／中継ぎを司るサーバと、ネットワークまたはインターネットを介して前記サーバと情報のやり取りをするクライアントと、前記サーバに設けられ、かつ前記情報に関するデータを演算処理する演算手段と、この演算手段で演算処理された処理結果データを格納することができる前記サーバに設けられたデータベースとを有するネットワーク利用情報交換システムにあって、
前記サーバは、前記データベースに格納する処理結果データの信頼性をチェックする信頼性チェック手段を有することを特徴とするネットワーク利用情報交換システム。
【請求項２】
情報の仲介／中継ぎを司るサーバと、ネットワークまたはインターネットを介して前記サーバと情報のやり取りをする複数のクライアントと、前記サーバに設けられ、かつ前記情報に関するデータを演算処理する演算手段と、この演算手段で演算処理された処理結果データを格納することができる前記サーバに設けられたデータベースとを有するネットワーク利用情報交換システムにあって、
前記サーバは、前記データベースに格納する処理結果データの信頼性をチェックする信頼性チェック手段と、前記格納の登録申請をするクライアント側がその処理結果データの公表に制限を加える公表先限定機能とを有することを特徴とするネットワーク利用情報交換システム。
【請求項３】
情報の仲介／中継ぎを司るサーバと、ネットワークまたはインターネットを介して前記サーバと情報のやり取りをする複数のクライアントと、前記サーバに設けられ、かつ前記情報に関するデータを演算処理する演算手段と、この演算手段で演算処理された処理結果データを格納することができる前記サーバに設けられたデータベースとを有するネットワーク利用情報交換システムにあって、
前記サーバは、前記クライアントからの演算使用許可申請を受ける演算使用許可申請受付機能と、その演算使用許可申請に対してクライアントに演算使用を許可する演算使用許可通知機能と、前記クライアントから入力したデータを用いて演算処理した結果を表示出力する表示／出力手段と、処理結果データの格納を求める前記クライアントからの登録申請を受け付ける処理結果登録申請受付機能と、登録申請された前記処理結果データの信頼性について評価認証する評価／認証手段を含む信頼性チェック手段と、前記評価／認証手段で認証された前記処理結果データを登録する処理結果データ登録機能と、登録申請するクライアント側より認証された処理結果データの公表に制限を加える公表先限定機能と、格納されている前記処理結果データの公開要求に応じてそれの公開を行なう処理結果データ公開機能とを有することを特徴とするネットワーク利用情報交換システム。
【請求項４】
情報の仲介／中継ぎを司るサーバと、ネットワークまたはインターネットを介して前記サーバと情報のやり取りをする複数のクライアントと、前記サーバに設けられ、かつ前記情報に関するデータを演算処理する演算手段と、この演算手段で演算処理された処理結果データを格納することができる前記サーバに設けられたデータベースとを有するネットワーク利用情報交換システムにあって、
前記サーバは、前記クライアントからの演算使用許可申請を受ける演算使用許可申請受付機能と、その演算使用許可申請に対してクライアントに演算使用を許可する演算使用許可通知機能と、前記クライアントから入力したデータを用いて演算処理した結果を表示出力する表示・出力手段と、処理結果データの格納を求める前記クライアントからの登録申請を受け付ける処理結果登録申請受付機能と、登録申請された前記処理結果データの信頼性について評価認証する評価／認証手段を含む信頼性チェック手段と、前記評価／認証手段で認証された前記処理結果データを登録する処理結果データ登録機能と、登録申請するクライアント側より認証された処理結果データの公表に制限を加える公表先限定機能と、格納されている前記処理結果データの公開要求に応じてそれの公開を行なう処理結果データ公開機能と、前記公開要求を受け付けるデータ参照許可申請受付機能と、データ参照許可申請をしたクライアントが前記公表先限定に合否するかチェック（公開判定審査）する公表可否手段と、その公表可否をそのクライアントに通知する公表可否通知機能とを有することを特徴とするネットワーク利用情報交換システム。
【請求項５】
請求項３または４記載のネットワーク利用情報交換システムにおいて、
前記サーバは、前記処理結果データを入手するクライアントから情報仲介手数料を受け取る情報仲介手数料受取機能を有するネットワーク利用情報交換システム。
【請求項６】
請求項１〜５のいずれか一つに記載されたネットワーク利用情報交換システムにあって、
前記サーバが扱う前記情報は、ＬＣＡ等の環境情報や製品ないし部品に関する情報を含むことを特徴とするネットワーク利用情報交換システム。
【発明の詳細な説明】
【０００１】
【発明の属する技術分野】
本発明は情報の仲介／中継ぎを司るサーバを利用する複数のクライアントがネットワークまたはインターネットを通じて情報のやり取りをするネットワーク利用情報交換システムに関する。そして、クライアントが、サーバが提供する演算ツールを利用して計算した結果を、他のクライアントが参照できるようにする情報提供方法とそのシステムに係わるものである。
【０００２】
【従来の技術】
インターネットのように、複数のクライアントとサーバからなるネットワーク利用情報交換システムでは、データ共有のためにネットワーク上に共有のデータベースを構築し、これを他のクライアントが参照する方式を採用している。
【０００３】
また最近の官公庁を対象にした環境物品購入法に見られるように、製品に含まれる化学物質を管理するシステムを各社が開発しており、これらは通常、Ｗｅｂ上に展開されている。部品メーカはＷｅｂ上に展開された書式にしたがって、部品に使用されている化学物質及びその量を入力して登録するようになっている。
【０００４】
また、従来例に係わる特開２００１−３５７２１２号公報（特許文献１）では、図２７に示すようにサーバ２０を情報の仲介役として、クライアント３０が提供する情報をサーバ２０の記憶手段２５に記憶し、クライアント４０からの応答情報送信手段４５による要求を、記憶手段２５を介して開示情報抽出手段２８で開示可能な情報を抽出して開示情報送信手段２７を介して、クライアント４０の開示情報受信手段４６へ送信している。なお、クライアント３０は、情報昇進手段３５、応答情報受信手段３６を有し、サーバ２０の仲介送信手段２６を介してサーバ２０の情報がクライアント３０に提供される。
【０００５】
【特許文献１】
特開２００１−３５７２１２号公報
【０００６】
【発明が解決しようとする課題】
上記のように構成することで、クライアントの情報を他のクライアントへ容易に開示できるが、クライアントの情報の信頼性を検証してないので、情報の信頼性を確保できないという問題がある。
【０００７】
上記問題についてさらに説明する。
【０００８】
たとえば、ライフサイクルアセスメント（ＬＣＡ）のように演算した結果を他のクライアントと共有するためには、共有のサーバをネットワーク上へ設置してこれを各クライアントが参照することが実施されている。
【０００９】
しかし、日本の製造業は大部分が加工組立産業であり、自社製品の全ての部品を自社だけで製造していることはほとんど無く、各種業界で製造した素材や部品を購入して製品を製造している。この場合、自社製品に関するデータだけでは、製品のＬＣＡを実施することは十分ではないことは明らかである。
【００１０】
これを解決するには、自社製品に使用している素材は部品のデータを全て収集することが必要であるが、詳細なデータを公表することは原価を公表することであり、困難である。さらに、グリーン調達関係で必要な製品含有化学物質であっても、同様である。
【００１１】
本発明は、上記の問題に鑑み、サーバからクライアントに提供される情報の信頼性を向上することを目的とする。
【００１２】
【課題を解決するための手段】
本発明は、演算処理された処理結果データを格納することができるデータベースがサーバに設けられているネットワーク利用情報交換システムにあって、サーバに、処理結果データの信頼性をチェックする信頼性チェック手段を設けたことを特徴とする。
【００１３】
【発明の実施の形態】
本発明の実施形態について実施例に沿って説明する。
【００１４】
図１は本発明に係わるネットワーク利用情報交換システムの全体構成を示している。
【００１５】
本システムはインターネット１０に接続されたサーバシステム２０と、少なくとも一つ以上のクライアントシステム３０、４０から構成されている。前記サーバシステム２０は入力手段２１と、表示／出力手段２２と、評価／認証手段２３及び演算手段２４を少なくとも含んでいる。クライアントシステム３０、４０はそれぞれ、入力手段３１、４１と表示／出力手段３２，４２を少なくとも有している。
【００１６】
図２は、図１に示す本システムを動作（操作手順）の面から表したものである。
【００１７】
サーバ１０（情報仲介／中継ぎを司る者）は、クライアント３０（情報提供者）の演算使用許可申請（サーバは演算使用許可申請受付機能を有する）を受けると、サーバ１０内にあるデータベース（図は省略）を検索して、そのクライアント３０が資格を有するかどうかをチェックし、資格を有する場合にはクライアント３０に演算手段２４の使用許可（サーバは演算使用許可通知機能を有する）を与える。
【００１８】
しかるのち、クライアント３０は演算手段２４で必要な情報のデータを、インターネット１０を介して、サーバ２０の入力手段２４を経て演算手段２４へ渡し、演算処理を実行する。
【００１９】
サーバ２０は演算手段２４での計算が終了すると、その結果を表示／出力手段２２に表示する。クライアント３０は、この結果を検討・解析して結果が妥当であると判断したら、サーバ２０の表示／出力手段２２の出力手段から演算結果をダウンロードすることで計算結果を入手する。
【００２０】
次いで、クライアント３０はこの計算結果と計算に使用したデータ（処理結果データ）をサーバ２０に登録申請（サーバは処理結果登録申請受付機能を有する）のために送付する。サーバ２０では前記送付されてきたデータを、その前提条件となっている、計算に使用したデータをチェックして、妥当であればサーバ２０のデータベース（図では省略）に登録（サーバは処理結果データ登録機能を有する）して、クライアント３０にその旨および限定する公表先が無いかどうかの公表先チェック依頼を送信する。クライアント３０では、データの内容をチェックして機密事項が無いかどうかで公表先を限定するかどうかを判断して、その内容をサーバ２０へ送信する。サーバは公表先限定機能を有する。
【００２１】
サーバ２０では、公表先限定以外のクライアント、ここではクライアント４０にデータを公開する。サーバは処理結果データ公開機能を有する。前記クライアント４０では、公開されたデータコンテンツからクライアント３０のコンテンツを参照し、サーバ２０へ前記コンテンツの参照許可（サーバはデータ参照許可申請受付機能を有する）を申請する。
【００２２】
クライアント４０からの前記コンテンツ参照許可を受けて、サーバ２０では前記クライアント４０が、前記クライアント３０が指定している公表先限定に含まれてないことを審査する。サーバは、データ参照許可申請をしたクライアントが公表先限定に合否するかチェック（公開判定審査）する公表可否手段と、その公表可否をクライアントに通知する公表可否通知機能を有する。
【００２３】
その審査の結果、前記クライアント４０がクライアント３０指定の非公表先に含まれてない場合には、前記クライアント３０の計算結果データを、前記クライアント４０に公開する。クライアント４０では、公開された、クライアント３０の計算結果を参照し、必要ならばダウンロード（クライアントは、発送される環境情報を入手する）する。
【００２４】
このとき、前記サーバ２０では前記クライアント４０が前記クライアント３０のデータをダウンロードしたことを記録し、クライアント３０へ通知する。
【００２５】
以上の情報の収受により、クライアント４０はクライアント３０の情報をサーバ２０を介して入手することができる。
【００２６】
このようなダウンロードの記録により、情報提供者と情報入手者を区別して、情報料の支払いと収入の関係を把握できる。サーバは、処理結果データの提供を受けるクライアント（情報入手者）から情報仲介手数料を受け取る情報仲介手数料受取機能を有する。
【００２７】
次に図３から図５に沿って述べる。図３から図５は、図２のフローをより詳しく示すもので、主にサーバ２０、クライアント３０及び４０の具体的な処理の面から説明する。
【００２８】
図３はサーバ２０の処理フローを示す。サーバ２０はクライアント３０からのメンバー登録申請を受けて、前記登録申請に関する記載事項が前記サーバ２０内のデータベース（図は省略）の審査基準と照合して満足しているかどうかを判断し、基準を満たしていればメンバー登録可能と判断し、登録可能とする旨の回答を申請したクライアント３０に通知する。また基準を満たしてなければ、メンバー登録不可能（登録拒否）と判断し、クライアント３０に回答する。
【００２９】
サーバ２０は前記クライアント３０にメンバー登録可能とする旨の連絡をする際には、登録ＩＤとパスワードを同時に連絡する。前記パスワードはクライアント３０の意向により後で変更することが可能である。登録ＩＤとパスワードは、クライアントがサーバと交信する際に必ず必要な連絡手段である。
【００３０】
さて、前記クライアント３０から登録ＩＤ及びパスワードを受信すると、前記サーバ２０は登録ＩＤとパスワードを、前記サーバ２０の内の登録ＩＤおよびパスワードのリストと照合し、一致していれば接続を許可する。不一致であれば、不一致の理由を送信し、かつ接続を拒否する。
【００３１】
前記サーバ２０はクライアント３０にメニュー画面の表示を提示する。クライアント３０は提示されたメニューの中から、必要な項目を選択し、その結果をサーバ２０は選択メニューとして受信する。その後、前記選択メニューに必要な項目のデータをクライアント３０より受信し、サーバ２０ではそのデータを用いて必要な演算処理を実施し、その結果（処理結果データ）を、サーバ２０の表示／出力手段２２へ表示する。
【００３２】
前記結果（処理結果データ）をクライアント３０の表示／出力手段３２を介して参照した、前記クライアント３０は結果（処理結果データ）を保存するか、保存しないかの判断をして、その結果（処理結果データ）を前記サーバ２０へ送信する。保存するという場合には、サーバ２０では、結果（処理結果データ）をクライアント３０へ送信し、保存しない場合にはサーバ２０上のメモリーから削除する。
【００３３】
次いで、結果（処理結果データ）をサーバ２０へ登録したいとするクライアント３０からの結果登録申請（処理結果登録申請受付機能）を受けて、サーバ２０ではサーバ２０内に設置されているデータベース（図では省略）の登録認証基準（サーバは、処理結果データの信頼性について評価認証する評価／認証手段を含む信頼性チェック手段を有する）と照合し、基準を満足していれば、登録可能、不満足であれば登録不可との結果をクライアント３０へ送信する。サーバは登録認証基準を満した結果（処理結果データ）を登録することができる処理結果デー登録機能を有する。
【００３４】
このようにサーバに登録される処理結果データは、信頼性チェック手段で、信頼性について評価認証された信頼性の保証されたものである。その処理結果データを参照／使用する他のクライアントは、信頼性の保証されたＬＣＡ等の環境情報や製品ないし部品に関する情報をもとに良質の製品を提供できるのである。
【００３５】
処理結果データの登録後は、公開先限定通知をクライアント３０より受信し、サーバ２０内に設置されているデータベース（図では省略）の公開先限定のデータベースへ登録することで登録限定処理（サーバは公表先限定機能を有する）を実施すると同時に、サーバ２０のメニューにあるコンテンツリストに、前記クライアント３０の結果（処理結果データ）の表題を載せて、他のユーザへ公開する。
【００３６】
それと同時に、結果（処理結果データ）をサーバ２０内に設置されているデータベース（図では省略）のコンテンツ結果データベースへ格納する。
【００３７】
次に、他のクライアント４０からの登録ＩＤ及びパスワードを受信すると、前記サーバ２０は登録ＩＤとパスワードを、前記サーバ２０の内の登録ＩＤおよびパスワードのリストと照合して、一致していれば接続を許可する。不一致であれば、不一致の理由を送信し、かつ接続を拒否する。
【００３８】
接続が許可の場合には、前記サーバ２０はクライアント４０にメニュー画面を表示し、クライアント４０はメニューの中から、コンテンツリストを選択し、その結果をサーバ２０はコンテンツリスト表示をコンテンツ公開申請として受信する。サーバは、クライアントからの公開要求（サーバに格納されている処理結果データの公開要求）に応じて、その内容を公開する処理結果データ公開機能および、その公開要求を受け付けるデータ参照許可申請受付機能を有する。
【００３９】
サーバ２０では、クライアント４０について、前記コンテンツの公開先限定リストをサーバ２０内に設置されているデータベース（図では省略）から検索して照合する。その結果、前記クライアント４０が、前記クライアント３０指定の公開先限定リストに記載されてない場合には、前記サーバ２０は申請されたコンテンツのデータである結果（処理結果データ）を、前記クライアント４０に公開する。
【００４０】
前記クライアント４０からの申請コンテンツのデータ入手申請を受けて、サーバ２０は該当データをクライアント４０へ送信すると同時に、クライアント３０の結果（処理結果データ）をクライアント４０に送信したことを、サーバ２０内に設置されているデータベース（図では省略）に記録する。それと同時に、この記録をクライアント３０へ送信する。
【００４１】
次に、クライアント３０内部での処理及び人が関与して判断する処理を、図４を基に説明する。
【００４２】
クライアント３０の使用者はサーバ２０の演算手段を使用して計算しようと考えると、まず、サーバ２０へメンバー登録申請を送信する。前記クライアント３０は前記サーバ２０から登録拒否通知あるいは登録ＩＤとパスワードを受信する。この操作は既にメンバー登録済みであれば、省略される。
【００４３】
クライアント３０の使用者は登録ＩＤとパスワードをサーバ２０へ送信し、登録ＩＤとパスワードが間違いなければ、前記サーバ２０のメニューを閲覧して、演算手段２４を選択して、サーバ２０へ送信する。前記サーバ２０からは演算手段２４に必要な項目リストがクライアント３０の表示／出力手段３２へ表示されるので、前期クライアント３０の使用者は必要な項目のデータをクライアント３０の入力手段３１を介して入力し、全ての項目が入力できたらサーバ２０へデータを送信する。
【００４４】
前記送信されたデータを用いてサーバ２０の演算手段２４で計算した結果が、前記クライアント３０の表示／出力手段３２に表示されるので、前期クライアント３０の使用者はその結果を閲覧し、計算結果を評価する。
【００４５】
前記クライアント３０の使用者は表示／出力手段３２を介して評価した前記計算結果を保存するか、保存しないかの判断をして、その結果を前記サーバ２０へ送信する。保存する場合には、前記クライアント３０の使用者は入力手段３１を介して保存する場所、名前などを入力して保存し、保存しない場合には保存しないとの信号をサーバ２０に送信し、前記サーバ２０上のメモリーから削除する。
【００４６】
次いで、前記クライアント３０の使用者は計算結果をサーバ２０へ登録したい場合には、サーバ２０のメニューを参照して、結果登録申請を選択し送信する。
【００４７】
一方、前記クライアント３０の使用者が結果は機密事項を含んでいるなどの理由で公開したくない場合には、そのまま他の操作を実施する。前記クライアント３０の使用者は前記サーバ２０からの認証結果をクライアント３０の表示／出力手段３２で確認する。認証された場合には、公開先を限定するための入力書式を前記クライアント３０の表示／出力手段３２を介して受信するので、公開先を限定するための書式に従い、必要事項を入力してそのデータをサーバ２０に送信する。
【００４８】
その後、公開した結果を他のクライアントが使用した場合には、サーバ２０よりデータ公開記録を受信する。この公開記録は、一定期間に何件のクライアントに公開したかという件数だけが、基本であるが公開先を併記して通知してもよい。これにより、公開した情報がどこでどの程度利用されているかを知ることができ、クライアント３０の製品開発に寄与することが可能である。
【００４９】
さらに、図４を用いて、公開結果を参照するクライアント４０の処理内容を説明する。
【００５０】
クライアント４０の使用者はサーバ２０のコンテンツを参照しようと考えると、まず、サーバ２０へメンバー登録申請を送信する。前記クライアント４０は前記サーバ２０から登録拒否通知あるいは登録ＩＤとパスワードを受信する。この操作は既にメンバー登録済みであれば、省略される。
【００５１】
クライアント４０の使用者は登録ＩＤとパスワードをサーバ２０へ送信し、登録ＩＤとパスワードが間違いなければ、前記サーバ２０のメニューを閲覧して、コンテンツ閲覧を選択して、サーバ２０へ送信する。前記サーバ２０から前記選択したコンテンツ内容がクライアント４０の表示／出力手段４２へ表示されるので、前期クライアント４０の使用者は必要なコンテンツをクライアント４０の入力手段４１を介して入力し、サーバ２０へデータを送信する。
【００５２】
サーバ２０から選択したコンテンツの内容が送信されて、前記クライアント４０の表示／出力手段４２に表示される。前記クライアント４０の使用者はコンテンツ内容を閲覧して、有用そうだと判断したデータを入手しようと考えると、データ入手希望との選択結果を、前記クライアント４０の入力手段４１を介してサーバ２０へ送信する。前記サーバ２０からは入手希望コンテンツデータを入手可能先であるかどうかの認証結果を、クライアント４０の表示／出力手段４１に表示する。入手可能であれば、コンテンツのデータがサーバ２０からクライアント４０の表示／出力手段４２に送信されて表示されるし、入手不可能であれば、その旨の通知がなされる。
【００５３】
クライアント４０の使用者は表示されたコンテンツのデータを閲覧し、必要であれば、データをダウンロードするデータ受信操作を、クライアント４０の入力手段４１を介して実施して、サーバ２０から前記データを受信して、保存する場所、名前などを指定して保存する。
【００５４】
次に、図３から図５で説明した、サーバ２０、クライアント３０及びクライアント４０に少なくとも必要なファイルを、図６を用いて説明する。
【００５５】
サーバ２０には、少なくとも演算手段２４の計算を実行する演算エンジン２００、演算用データベース２１０、公開審査用データファイル２２０、サーバアクセスデータファイル２３０、データ公開先ファイル２４０及び公開用データベース２５０が備えられている。
【００５６】
演算エンジン２００は演算手段２４の計算を実行するためのプログラムであり、計算に必要なデータは演算用データベース２１０並びにサーバ２０の入力手段２１を介してクライアントより送付されたデータを用いて計算を実行する。
【００５７】
演算用データベース２１０は演算エンジン２００で使用するデータの原単位や定数、係数などを格納している。
【００５８】
公開審査用データファイル２２０には、メンバー名、公開データ及び公開データの限定公開先などがリストされている。
【００５９】
サーバアクセスデータファイル２３０には、サーバ２０にアクセスし、演算エンジン２００の使用やコンテンツを参照するためのユーザ名、ユーザＩＤ、パスワードなどが格納されている。
【００６０】
データ公開先ファイル２４０には、データ公開元クライアント名、公開データ名、公開先クライアント名、公開回数などが格納されている。
【００６１】
公開用データベース２５０には、演算エンジン２００に使用したデータと計算結果（処理結果データ）とが対になって格納されている。例えば、計算の前提条件となる各種条件、使用したデータベースのデータ、計算結果などである。ただし、計算の前提条件のうち、例えば、ＬＣＡの場合には、詳細なデータは未公開で、全体で使用した素材種類、量と使用時の条件、結果としてのインベントリーデータである。
【００６２】
もちろん、以上のデータファイル及びファイルが統合されて一つ以上複数のデータベースに格納されていても、本発明の意図するところは問題ない。
【００６３】
クライアント３０のデータファイルは少なくともサーバアクセスデータファイル３００、クライアント３０のデータファイル３１０、演算結果ファイル３２０及び公開データ記録ファイル３３０から構成されている。このうち、公開データ記録ファイル３３０は記録しなくてもよいが、クライアント３０の製品データがどの程度利用されているかを知るには重要なデータである。
【００６４】
サーバアクセスデータファイル３００には、サーバ２０にアクセスするために必要な使用者ＩＤとパスワードが記録されており、使用者識別のためのニックネームも含まれてもよい。
【００６５】
クライアント３０のデータファイル３１０は、サーバ２０の演算手段２４で計算に使用したデータ、例えば、ＬＣＡの場合では、ライフサイクルステージで使用している素材種類、使用量が格納されている。
【００６６】
演算結果ファイル３２０には、サーバ２０で計算した結果ファイルが格納されている。もちろん、クライアント３０のデータファイル３１０の内容を含んだ、一つのファイルとして格納されても何ら問題はない。
【００６７】
公開データ記録ファイル３３０はサーバ２０上で公開した演算結果データがどれくらい参照されたかを示すファイルである。すなわち、サーバ２０のデータ公開先ファイル２４０のうち、当該クライアントに関する情報を記録したファイルで、参照された結果データファイル名、参照日時、参照回数などが記載されている。
【００６８】
クライアント４０のデータファイルはサーバアクセスファイル４００、クライアント４０のデータファイル及びダウンロードデータベース４２０を少なくとも含んでいる。
【００６９】
サーバアクセスデータファイル４００には、サーバ２０にアクセスするために必要な使用者ＩＤとパスワードが記録されており、使用者識別のためのニックネームも含まれてもよい。
【００７０】
クライアント４０のデータファイル４１０は、サーバ２０の演算手段２４で計算に使用したデータ、例えば、ＬＣＡの場合では、ライフサイクルステージで使用している素材種類、使用量が格納されている。
【００７１】
ダウンロードデータベース４２０は、クライアント４０の使用者がサーバ２０のコンテンツの中から必要であると判断して入手した、サーバ２０の公開用データベース２５０にある公開可能なデータを、クライアント４０の表示／出力手段４２、入力手段４１を介して入手したデータファイルが、ファイル名、前提条件、計算結果などの項目で格納されている。
【００７２】
次に、本発明の実施例の画面遷移を、図７以降の図を用いて説明する。
【００７３】
図７は本発明のメインメニューの一部並びにゲストボタン３０００を選択した時のゲストメニューの一部を示したものである。メインメニュー１０００には、少なくともメンバー用のメニューボタン２０００、ゲスト用のメニューボタン３０００及び終了ボタン９０００を有している。
【００７４】
ゲスト用のボタン３０００は少なくともコンテンツ閲覧ボタン３１００とメンバー登録ボタン３２００を有している。
【００７５】
ここで、ゲストボタン３０００を押すと、図８の画面になる。
【００７６】
ゲストメニュー３０１０は少なくともコンテンツ閲覧ボタン３１１０及びメンバー登録ボタン３２１０を含み、メインメニューへ戻るボタン１９００及び終了ボタン９０００を含んでもよい。図８では、コンテンツ閲覧ボタン３１１０を選択した場合を示し、コンテンツ内容としてＬＣＡ３１２０、ＰＲＴＲ３１３０などを示している。
【００７７】
ここで、ＬＣＡボタン３１２０を選択すると、図９のようにゲストメニュー３０１０の内容がツリー状に展開する例を示している。
【００７８】
図９が図８と異なるのは、図８のコンテンツ閲覧ボタン３１１０の下にＬＣＡボタン３１２０とＰＲＴＲボタン３１３０がツリー形式で表示され、ＬＣＡボタン３１２０を選択してＬＣＡの中身である素材３１２１、電子部品３１２２、機械部品３１２３、機構部品３１２４、家電製品３１２５、重電製品３１２６及び機械製品３１２７などがリストアップされる。ここの中身はコンテンツの内容により相違することは言うまでもない。
【００７９】
図１０は図９でコンテンツ閲覧ボタン３１１０、ＬＣＡボタン３１２０、素材ボタン３１２１を選択すると、ＬＣＡで使用している素材のリストが、例えば、鉄類１１０００、非鉄金属類１２０００、プラスチック類１３０００およびガラス・陶器類１４０００のように表示される。
【００８０】
ここで、鉄類ボタン１１０００を選択すると、図１１のように素材ボタン３１２１の下に、素材リストが、鉄類ボタン１１０００、非鉄金属類１２０００及びプラスチック類１３００などが表示される。このとき、右側のウインドーには鋳鉄ボタン１１１００、冷延鋼ボタン１１２００、熱延鋼１１３００およびＳＵＳ１１４００などが表示される。
【００８１】
図１１で右側のウインドーの鋳鉄ボタン１１１００を選択すると、図１２に示す如く、鋳鉄単位重量、例えば、１ｋｇ製造するために投入した資源及び環境排出量がＬＣＡのインベントリー表２００００として右ウインドーに表示される。また、このインベントリーデータが必要な場合には、ダウンロードボタン３００００を選択することで、ゲストユーザでもゲストが希望する保存領域へダウンロードすることができる。
【００８２】
但し、これは表示されたインベントリー表２００００を提供したクライアントがこの表の公開制限をなくして、全てのユーザに公開という場合に限りダウンロードボタン３００００は現れるので、通常は現れない。
【００８３】
製品や部品を対象とする場合には、このようなインベントリー表は製品や部品レベルで表示され、それに使用している素材種類や量はそのデータを提供しているクライアントの公開レベルに依存しているので、必ずしも、全ての製品や部品が素材までそのデータを遡れるとは限らない。
【００８４】
図１３はゲストメニュー３０１０でメンバー登録ボタン３２１０を選択した場合の画面構成例である。
【００８５】
図の右にはメンバー登録に必要な項目のリストと入力欄が設けられている。例えば、所属欄３２１１、部署欄３２１２、住所欄３２１３、ＴＥＬ欄３２１４、氏名欄３２１５及びメールアドレス欄３２１６などである。このうち、氏名欄３２１５及びメールアドレス欄３２１６は必須項目である。これらの項目を入力した後、申請ボタン４１０００を選択すると、データはサーバ２０へ送信され、キャンセルボタン４２０００を選択すると、これまで入力したデータはクリアーされる。
【００８６】
図１４はメンバーのメインメニューの構成例である。メンバー用のメインメニューはコンテンツ閲覧３１００、演算入力３３００、コンテンツ登録３４００及び公開限定登録３５００を少なくとも含んでいる。
【００８７】
図１４でメンバーボタン２０００を選択すると、図１５の画面になる。
【００８８】
図１５の画面でコンテンツ閲覧３１００を選択すると、前掲図８でメンバーメニュー２０１０がゲストメニュー１０１０と変わっているだけで、右側のウインドーの処理はほぼ等しい。
【００８９】
図１５で演算入力３３００を選択すると、サーバ２０内の演算手段２４に内蔵している演算機能を有するプログラムリストが表示される。この例では、ＬＣＡボタン３３２０とＰＲＴＲボタン３３４０が表示されている。
【００９０】
ここでＬＣＡボタン３３２０を選択すると、図１６のようになる。画面の左半分にはメンバーメニュー２０１０の内容がツリー状に表示され、右側には左の演算入力ボタン３３００でＬＣＡボタン３３２０を選択した時のメニューが表示されている。ＬＣＡ解析のための条件として、入力データ読込みボタン３３２１、ステージ登録ボタン３３２２、計算実行ボタン３３２３、結果表示ボタン３３２４、解析ボタン３３３８及び保存ボタン３３３９から構成されている。ここで、ＬＣＡでの表現はここに記載されたものに限定されず、同様の機能を実現できればよいことは言うまでもない。
【００９１】
図１６でステージ登録ボタン３３２２を選択すると、図１７のように右側のウインドーにＬＣＡステージの内容が表示される。例えば、原料採掘ボタン３３２２０、海外輸送ボタン３３２２１、素材製造ボタン３３２２２、素材輸送ボタン３３２２３、素材加工ボタン３３２２４、部品組立ボタン３３２２５、部品輸送ボタン３３２２６、製品組立ボタン３３２２７、製品輸送ボタン３３２２８、製品使用ボタン３３２２９及び埋立ボタン３３２３０などである。これらのボタンを選択すると、それぞれ、そのステージで使用している素材種類、素材量、使用ユーティリティ種類と量などの入力画面が表示され、各項目にデータ入力が必要である。
【００９２】
図１８は本発明で提案するコンテンツ登録ボタン３４００のメニューの一例を右ウインドーに示す。ここでは、コンテンツの例としてＬＣＡとＰＲＴＲを取り上げ、ＬＣＡボタン３４２０とＰＲＴＲボタン３４４０を例に処理内容を説明する。
【００９３】
図１８でＬＣＡボタン３４２０を選択すると、図１９のようにＬＣＡのコンテンツとして登録可能なリストが右ウインドーに表示される。例えば、素材ボタン３４２００、電子部品ボタン３４２１０、機械部品ボタン３４２２０、機構部品ボタン３４２３０、家電製品ボタン３４２４０、重電製品ボタン３４３５０及び機械製品ボタン３４２６０を例示している。
【００９４】
ここで素材ボタン３４２００を選択すると、図２０のように、素材の分類が右ウインドーに表示される。例えば、鉄類ボタン３４２０１、非鉄金属類ボタン３４２０２、プラスチック類ボタン３４２０３及びガラス・陶器類３４２０４を例示する。
【００９５】
図２０で鉄類ボタン３４２０１を選択すると、鉄類に分類されている素材のリストが図２１の右側のウインドーに表示される。例えば、鋳鉄ボタン３４２０４０、冷延鋼ボタン３４２０４１、熱延鋼ボタン３４２０４２及びＳＵＳボタン３４２０４３などを例示する。
【００９６】
ここで、鋳鉄ボタン３４２０４０を選択すると、図２２のようにファイル選択ボタン３５０００が図２２の右ウインドーに表示される。このファイル選択ボタン３５０００を選択すると、コンテンツに登録するファイルを指定するためのウインドー３５１００が表示されるので、対象となるファイルが保存されているフォルダを開いて、指定して開くボタンをクリックすると、対象となるファイルがクライアント３０の表示・出力手段３２に表示される。
【００９７】
その結果、図２３に示すように、選択したファイル名の記入スペース３６０００にファイル名が表示され、そのファイルのインベントリーデータがインベントリー表２００００として表示される。このデータをチェックして、このファイルが登録するファイルであることが確認できたら、ＯＫボタン３７０００をクリックして、指定したファイルをサーバ２０へ送信し、相違するファイルであればキャンセルボタン３８０００をクリックして、再度、前掲図２２のファイル選択ボタン３５０００で対象ファイルを再選択して、図２３の操作を繰り返す。
【００９８】
次いで、図２４を用いて本発明のもう一つの機能である、公開限定機能を説明する。
【００９９】
図２４で公開限定登録ボタン３５００を選択すると、右ウインドーに、例えば、限定する範囲を特定する会社限定ボタン３５２０、業種選定ボタン３５４０及び限定なしボタン３５９０が表示される。会社限定ボタン３５２０を選択すると、公開したくない会社の名称を入力する画面（図は省略）が表示されるので、入力し送信ボタンを選択することで直接設定できる。もちろん、複数の指定も可能である。
【０１００】
限定なしボタン３５９０を選択すると、全てのクライアント及びゲストに対して公開するデータとなる。
【０１０１】
一方、業種限定ボタン３５４０を選択すると、図２５のように画面が変わり、右ウインドーに会社の業種を示すボタンがリストアップされる。例えば、素材ボタン３５４１０、電子部品ボタン３５４２０、機械部品ボタン３５４３０、機構部品ボタン３５４４０、家電製品ボタン３５４５０、重電製品ボタン３５４６０及び機械製品ボタン３５４７０などである。ここのボタンを選択することで、業種単位で限定することも可能であるし、更に、細かい分類まで指定しても本発明の意図するところに含まれることは明らかである。
【０１０２】
以上の説明は、一実施例を示したもので、本発明で例示した画面以外でも意図するところが同じであれば、本発明に含まれることはいうまでもない。
【０１０３】
次に、本発明をＬＣＡのサーバクライアントシステムに適用した場合の例を、図２６を基に説明する。
【０１０４】
インターネット１０に接続されたＬＣＡサーバ２０ａは入力手段２１、表示・出力手段２２、評価・認証手段２３および演算手段２４を内蔵したサーバマシン２０ｂと、少なくとも演算用データベース２１０、公開審査用データファイル２２０、サーバアクセスデータファイル２３０、データ公開先ファイル２４０及び公開用データベース２５０が格納されたＤＢ２０Ｃから構成されている。クライアント１からＮは少なくとも前掲図６で説明した、クライアント３０のサーバアクセスデータファイル３００、クライアント３０のデータファイル３１０、演算結果ファイル３２０とクライアント４０のクライアント４０のデータファイル及びダウンロードデータベース４２０を有しているクライアントマシンとＤＢシステムを含むクライアントシステムである。
【０１０５】
ここでクライアント１は家電製品メーカ、クライアント２は電子部品メーカ、クライアント３は素材メーカ、クライアントＮは機構部品メーカであるとすると、各クライアントは互いにそれぞれ他業種メーカの製品を使用して製品を製造していることは十分に考えられる。これらのクライアントが自社製品のＬＣＡを実施しようとしてインベントリーデータを集めようとすると、自社で製造している素材や部品などのデータは集めることは可能であるが、部品として他のクライアントから購入しているもののデータは集めることができない。集めることができるのは購入した部品を分解して、その素材種類と質量を計測したものである。しかし、この場合でも、全ての部品を解体して詳細なデータを積み上げることは不可能である。
【０１０６】
これに対し、同じＬＣＡサーバ２０ａのＬＣＡシステムに加入しているクライアントが互いに評価した結果をＬＣＡサーバ２０ａの認証の下で、公開して相互に利用しあうことにより、購入部品の詳細なインベントリーデータを入手可能となり詳細なＬＣＡ評価が可能となる。
【０１０７】
【発明の効果】
以上に述べたように本発明によれば、サーバに登録される処理結果データは、信頼性チェック手段で、信頼性について評価認証された信頼性の保証されたものであるので、その処理結果データを利用するクライアントは、信頼性の保証されたＬＣＡ等の環境情報や製品ないし部品に関する情報をもとに良質の製品を提供できるのである。
【図面の簡単な説明】
【図１】本発明の実施例に係わるもので、本システムの全体を示す全体構成図。
【図２】本発明の実施例に係わるもので、サーバとクライアントの間に行なわれ情報のやり取りの流れを示す図。
【図３】本発明の実施例に係わるもので、サーバ内での処理フローを示す図。
【図４】本発明の実施例に係わるもので、情報を提供するクライアント内での処理フローを示す図。
【図５】本発明の実施例に係わるもので、情報を入手するクライアント内での処理フローを示す図。
【図６】本発明の実施例に係わるもので、ファイルシステムの一例を示す図。
【図７】本発明の実施例に係わるもので、メインメニューおよびゲストメニューを示すウインドーの画面表示図。
【図８】本発明の実施例に係わるもので、ゲストメニューを示すウインドーの画面表示図。
【図９】本発明の実施例に係わるもので、メインメニューおよびゲストメニューを示すウインドーの画面表示図。
【図１０】本発明の実施例に係わるもので、メインメニューおよびゲストメニューを示すウインドーの画面表示図。
【図１１】本発明の実施例に係わるもので、メインメニューおよびゲストメニューを示すウインドーの画面表示図。
【図１２】本発明の実施例に係わるもので、メインメニューおよびゲストメニューを示すウインドーの画面表示図。
【図１３】本発明の実施例に係わるもので、メインメニューおよびゲストメニューを示すウインドーの画面表示図。
【図１４】本発明の実施例に係わるもので、メインメニューおよびゲストメニューを示すウインドーの画面表示図。
【図１５】本発明の実施例に係わるもので、メンバーメニューを示すウインドーの画面表示図。
【図１６】本発明の実施例に係わるもので、メンバーメニューを示すウインドーの画面表示図。
【図１７】本発明の実施例に係わるもので、メンバーメニューを示すウインドーの画面表示図。
【図１８】本発明の実施例に係わるもので、メンバーメニューを示すウインドーの画面表示図。
【図１９】本発明の実施例に係わるもので、メンバーメニューを示すウインドーの画面表示図。
【図２０】本発明の実施例に係わるもので、メンバーメニューを示すウインドーの画面表示図。
【図２１】本発明の実施例に係わるもので、メンバーメニューを示すウインドーの画面表示図。
【図２２】本発明の実施例に係わるもので、メンバーメニューを示すウインドーの画面表示図。
【図２３】本発明の実施例に係わるもので、メンバーメニューを示すウインドーの画面表示図。
【図２４】本発明の実施例に係わるもので、メンバーメニューを示すウインドーの画面表示図。
【図２５】本発明の実施例に係わるもので、メンバーメニューを示すウインドーの画面表示図。
【図２６】本発明の実施例に係わるもので、ＬＣＡシステムに適用した例を示す図。
【図２７】従来例に係わるもので、システムの全体構成図。
【符号の説明】
１…クライアント、２…クライアント、３…クライアント、Ｎ…クライアント、３０…クライアント、４０…クライアント、１０…インターネット、２０…サーバ、２０ａ…ＬＣＡサーバ、２１…入力手段、３１…入力手段、４１…入力手段、２２…表示／出力手段、３２…表示／出力手段、４２…表示／出力手段、２３…評価／認証手段、２４…演算手段、２００…演算エンジン、２１０…演算用データベース、２２０…公開審査用データファイル、２３０…サーバアクセスデータファイル、２４０…データ公開先ファイル、２５０…公開用データベース、３００…サーバアクセスデータファイル、４００…サーバアクセスデータファイル、３１０…クライアントのデータファイル、４１０…クライアントのデータファイル、３２０…演算結果ファイル、３３０…公開データ記録ファイル、４２０…ダウンロードデータベース、３１００…コンテンツ閲覧ボタン、３３００…演算入力、３４００…コンテンツ登録、３５００…公開限定登録。
【図１】
2004206226.tif 000003
【図２】
2004206226.tif 000004
【図３】
2004206226.tif 000005
【図４】
2004206226.tif 000006
【図５】
2004206226.tif 000007
【図６】
2004206226.tif 000008
【図７】
2004206226.tif 000009
【図８】
2004206226.tif 000010
【図９】
2004206226.tif 000011
【図１０】
2004206226.tif 000012
【図１１】
2004206226.tif 000013
【図１２】
2004206226.tif 000014
【図１３】
2004206226.tif 000015
【図１４】
2004206226.tif 000016
【図１５】
2004206226.tif 000017
【図１６】
2004206226.tif 000018
【図１７】
2004206226.tif 000019
【図１８】
2004206226.tif 000020
【図１９】
2004206226.tif 000021
【図２０】
2004206226.tif 000022
【図２１】
2004206226.tif 000023
【図２２】
2004206226.tif 000024
【図２３】
2004206226.tif 000025
【図２４】
2004206226.tif 000026
【図２５】
2004206226.tif 000027
【図２６】
2004206226.tif 000028
【図２７】
2004206226.tif 000029